(57)【要約】      （修正有）【課題】動力バリカン刃２ａや丸刃３ｂ等を効率よく刃付け及び刃研ぎ作業を行うことが出来、研磨作業や調節を容易にし、研磨に係る費用を低減すると共に、移動可能な研磨装置を提供する。【解決手段】動力バリカン２ａや丸刃３ｂ等の切断刃を保持開放可能にした保持部材３ａ・４ａ・５ａ・４ｂ・５ｂ・６ｂ及び支持部材１４ａ・１５ａを有するテーブル１ａ上にグラインダー７ａを保持開放可能にし、該テーブル１ａ上を自在に滑走する機構を持つ架台８ａとで構成され、該切断刃に対しグラインダー７ａをガイド機構無しで、該テーブル１ａ上にて研磨位置から研磨外位置との間を自由に変位させ、任意に設定した角度で研磨することのできる研磨装置。【選択図】図１
2005224930.tif 000002
【特許請求の範囲】
【請求項１】
動力バリカン刃２ａ及び丸刃３ｂ等の切断刃を、保持開放可能な保持部材３ａ・４ａ・５ａ・４ｂ・５ｂ・６ｂ及び支持部材１４ａ・１５ａを備えたテーブル１ａと、グラインダー７ａを保持開放可能にする機構及び該テーブル１ａ上を自在に滑走する機構を持つ架台８ａとで構成され、該切断刃に対し該グラインダー７ａをガイド機構無しで該テーブル１ａ上にて研磨位置から研磨外位置との間を自由に変位させ、任意に設定した角度で研磨する事のできる研磨装置。
【請求項２】
請求項１記載のグラインダー７ａを保持開放する機構及びテーブル１ａ上を自在に滑走する機構を持つ架台８ａにおいて、その台を構成する部材の穴に嵌合され、その穴に沿って自由に摺動回転でき、かつ固定できる角度変更リング１０ａ及びグラインダー台１２ａにグラインダー７ａを取付け、角度変更リング１０ａを任意の角度に回転させる事により、切断刃に対しグラインダー７ａの角度を自在に調節する機能を有する請求項１記載の研磨装置。
【請求項３】
請求項１記載の動力バリカン刃２ａ及び丸刃３ｂ等の切断刃を、保持開放可能な保持部材３ａ・４ａ・５ａ・４ｂ・５ｂ・６ｂ及び支持部材１４ａ・１５ａを備えたテーブル１ａにおいて、バリカン刃２ａを保持開放可能な保持部材バリカン刃物台３ａの締付けを行う締付けナット１４ａで支持部材刃物台１５ａに固定されているが、その締付けを行う締付けナット１４ａを緩めることにより該保持部材バリカン刃物台３ａの有する長穴を利用し下方向に移動し、かつ一定方向に角度が変位する機構を有する請求項１記載の研磨装置。
【発明の詳細な説明】
【技術分野】
【０００１】本発明は草刈機等に用いるバリカン刃２ａや丸刃３ｂ等の刃付け・刃砥ぎ等の研磨装置に関するものである。
【背景技術】
【０００２】草刈機等において、バリカン刃２ａは本体に図４の上部刃１ｂ及び下部刃２からなる金属製切断刃を重ねた状態で摺動し動力機等による駆動機構を利用して上部刃１ｂ及び下部刃２ｂを長尺方向に往復運動させ切断する構造のものが知られている。【０００３】又草刈機等において、図５の丸刃３ｂ等の種類は円盤状の金属製板で形成され、その円周上に切断部が複数個等分に配置され、その円盤を動力機等による駆動機構を利用し、回転させ切断するものが知られている。【０００４】上記草刈機等の切断刃は草刈等の作業においての切断性が極めて重要で、能率・安全性においても大きく影響するものとなるので研磨作業は特に重要である。【０００５】従来の研磨装置には、回転砥石を持つグラインダーの固定式を利用し、切断刃側から回転砥石へ近付けて研磨する方法を用いたものもある。
【特許文献】特開平７−１１２３１７号公報
【特許文献】特開平１０−１５７９２号公報
【特許文献】特開平４−４０８２０号公報
【発明の開示】
【発明が解決しようとする課題】
【０００６】従来であると大型の研削盤等が用いられ、研削に係る費用が高価となっていた為、さらに大掛かりな装置で持ち運ぶことの妨げとなっていた。よってバリカン刃２ａ等を研磨する装置の普及を妨げ、又手作業で行うと仕上がりにばらつきが生じたり研磨不良が発生し、能率や安全性にも問題があった。
【課題を解決するための手段】
【０００７】請求項１記載の発明は、動力バリカン刃２ａ及び丸刃３ｂ等の切断刃を、保持開放可能な保持部材３ａ・４ａ・５ａ・４ｂ・５ｂ・６ｂ及び支持部材１４ａ・１５ａを備えたテーブル１ａと、グラインダー７ａを保持開放可能にする機構及び該テーブル１ａ上を自在に滑走する機構を持つ架台８ａとで構成され、該切断刃に対し該グラインダー７ａをガイド機構無しで該テーブル１ａ上にて研磨位置から研磨外位置との間を自由に変位させ、任意に設定した角度で研磨する事のできる研磨装置。【０００８】請求項２記載の発明は、請求項１記載のグラインダー７ａを保持開放する機構及びテーブル１ａ上を自在に滑走する機構を持つ架台８ａにおいて、その台を構成する部材の穴に嵌合され、その穴に沿って自由に摺動回転でき、かつ固定できる角度変更リング１０ａ及びグラインダー台１２ａにグラインダー７ａを取付け、角度変更リング１０ａを任意の角度に回転させる事により、切断刃に対しグラインダー７ａの角度を自在に調節する機能を有する請求項１記載の研磨装置。【０００９】請求項３記載の発明は、請求項１記載の動力バリカン刃２ａ及び丸刃３ｂ等の切断刃を、保持開放可能な保持部材３ａ・４ａ・５ａ・４ｂ・５ｂ・６ｂ及び支持部材１４ａ・１５ａを備えたテーブル１ａにおいて、バリカン刃２ａを保持開放可能な保持部材バリカン刃物台３ａの締付けを行う締付けナット１４ａで支持部材刃物台１５ａに固定されているが、その締付けを行う締付けナット１４ａを緩めることにより該保持部材バリカン刃物台３ａの有する長穴を利用し下方向に移動し、かつ一定方向に角度が変位する機構を有する請求項１記載の研磨装置。
【発明の効果】
【００１０】請求項１記載の発明にあっては、バリカン刃２ａ及び丸刃３ｂ等の切断刃を容易に保持開放可能な保持部材３ａ・４ａ・５ａ・４ｂ・５ｂ・６ｂ及び支持部材１４ａ・１５ａを備えたテーブル１ａと、グラインダー７ａを保持開放する機構及び該テーブル１ａ上を自在に滑走する機構を持つ架台８ａが、研磨位置から研磨外位置との間を自由に変位させることで操作性を極めて高めた事により、設定された角度で容易に研磨ができ、バリカン刃２ａ等の寿命向上や草刈作業等の能率及び安全性が向上した。【００１１】請求項２記載の切断刃に対してグラインダー７ａの角度割り出しが容易に行え、係る研磨作業時間や切断刃等の仕上がりが格段に向上したことである。【００１２】請求項３記載のバリカン刃保持部材バリカン刃物台３ａの締付けを行う締付けナット１４ａで、支持部材刃物台１５ａに固定されているがその締付けナット１４ａを緩めることにより、該保持部材バリカン刃物台３ａの有する長穴を利用し下方向に移動し、かつ一定方向に角度が変位する機構を有することで、バリカン刃２ａの先端刃面８ｂを容易に研磨することできる。
【発明を実施するための最良の形態】
【００１３】本発明のバリカン刃２ａや丸刃３ｂ等の切断刃研磨装置の実施形態を添付の図面に基づいて説明する。本発明に係る研磨装置によって研磨を行う切断刃は、図４のような形状を特徴とする切断刃で、上部刃１ｂ及び下部刃２ｂからなり複数個の山形に両側刃面７ｂ・９ｂ及び先端刃面８ｂが存在し等間隔で配列されている。その上部刃１ｂ及び下部刃２ｂが重なった状態で動力機等による駆動機構を利用して、長尺方向に往復運動させて切断することを特徴とするバリカン刃２ａと、円盤状の金属製板で形成しその円周上に切断部が複数個等分に配置され、その円盤を動力機等による駆動機構を利用して回転させ切断する図５中の丸刃３ｂを対象とする。【００１４】図１から図６までの図面は本発明の実施形態を示し、２ａはバリカン刃であってそれを保持開放可能な保持部材バリカン刃物台３ａ及び、刃物押え板５ａとその締付けを行う締付けボルト４ａからなるテーブル１ａと、研磨を行うグラインダー７ａを保持開放可能な保持部材グラインダー台１２ａを有し、かつテーブル１ａ上を滑走することのできる図２中の滑走部材１１ａを複数個有する架台８ａとからなる。【００１５】又、上述の刃物押え板５ａ及び締付けボルト４ａは、研磨対象により変更される、つまり図５中の丸刃３ｂの場合であると、丸刃３ｂを保持開放可能な保持部材丸刃刃物台４ｂ及び刃物押え５ｂとその締付けを行う締付けナット６ｂからなり、保持部材は変更される事となる。上記のように研磨対象が変更になるが、テーブル１ａ上を架台８ａが滑走状態で研磨していく形態に変更は無い。【００１６】上述の該架台８ａは、対象の切断刃の刃面角度に任意に設定する事のできる機構図３中の締付けナット９ａ及び角度変更リング１０ａと図１中のグラインダー台１２ａ及び締付けボルト１３ａを有し、多種類の切断刃に対応できることを特徴とする。【００１７】上述該テーブル１ａの切断刃等保持開放可能な保持部材３ａ・４ａ・５ａ・４ｂ・５ｂ・６ｂ及び支持部材１４ａ・１５ａにおいて、図６記載の該保持部材バリカン刃物台３ａを支持部材刃物台１５ａに締付け固定している締付けナット１４ａを緩めることにより、該保持部材バリカン刃物台３ａの有する長穴を利用し下方向に移動し、かつ角度を一定に変位させることができ図４中の先端刃面８ｂを研磨可能にしたことを特徴とする。【００１８】又本発明の研磨装置は、構成部材の点数を少なく押える事で作動機構の構造を簡素化することができ、設定・調節等が簡易になり熟練を必要とせず容易に使用でき、かつ安価に仕上がっている。【００１９】尚、本発明は上記実施の形態に限られるものではなく、例えばテーブル１ａ、保持部材バリカン刃物台３ａ・刃物押え板５ａ、架台８ａ等の大きさや形状等は適宜変更して設計されるものである。
【図面の簡単な説明】
【００２０】
【図１】本発明の実施形態例の全体平面図である。
【図２】本発明の実施形態例の全体側面図である。
【図３】本発明の実施形態例の全体正面図である。
【図４】本発明の実施形態例のバリカン刃の図面である。
【図５】本発明の実施形態例の丸刃の装着された図面である。
【図６】本発明の実施形態例の切断刃保持部材変位形態を示した図面である。
【符号の説明】
【００２１】      １ａ  テーブル
２ａ  バリカン刃
３ａ  バリカン刃物台
４ａ  締付けボルト１
５ａ  刃物押え板
６ａ  回転砥石
７ａ  グラインダー
８ａ  架台
９ａ  締付けナット１
１０ａ  角度変更リング
１１ａ  滑走部材
１２ａ  グラインダー台
１３ａ  締付けボルト２
１４ａ  締付けナット２
１５ａ  刃物台
１ｂ  上部刃
２ｂ  下部刃
３ｂ  丸刃
４ｂ  丸刃刃物台
５ｂ  刃物押え
６ｂ  締付けナット３
７ｂ  側部刃面１
８ｂ  先端刃面
９ｂ  側部刃面２
【図１】
2005224930.tif 000003
【図２】
2005224930.tif 000004
【図３】
2005224930.tif 000005
【図４】
2005224930.tif 000006
【図５】
2005224930.tif 000007
【図６】
2005224930.tif 000008